(57)【要約】【課題】  ホワイトバランスを適正に調整した画像品質の高い画像の撮像を可能にしたデジタルカメラを提供する。【解決手段】  撮像する被写体像を複数の分光色についてそれぞれ電荷を蓄積して撮像信号を出力する撮像装置２０と、撮像信号から得られる画像のホワイトバランスを調整する手段（ＣＰＵ）１００とを備えるデジタルカメラにおいて、ホワイトバランス調整手段は撮像装置２０における各分光色の撮像素子２６，２７，２８の各電荷蓄積時間をそれぞれ独立して制御する蓄積時間制御手段（ＣＰＵ）１００を備える。撮像装置で撮像する被写体の分光色の蓄積時間を独立して制御し、異なる色温度の光源に対しても各分光色のゲインを等しくしたままでホワイトバランスを調整することができ、低ノイズで高品質の適正な色調のカラー画像を撮影することができる。【選択図】  図３
2006135708.tif 000002
【特許請求の範囲】
【請求項１】
撮像する被写体像を複数の分光色についてそれぞれ電荷を蓄積して撮像信号を出力する撮像装置と、前記撮像信号から得られる画像のホワイトバランスを調整する手段とを備えるデジタルカメラにおいて、前記ホワイトバランス調整手段は、前記撮像装置における各分光色の電荷蓄積時間をそれぞれ独立して制御する蓄積時間制御手段を備えることを特徴とするデジタルカメラ。
【請求項２】
前記撮像装置は各分光色をそれぞれ受光する複数の撮像素子で構成され、各撮像素子の電荷蓄積時間をそれぞれ独立して前記蓄積時間制御手段により制御可能であることを特徴とする請求項１に記載のデジタルカメラ。
【請求項３】
前記撮像装置は撮像光を３つの分光色に分解する光学手段と、分解された各分光色をそれぞれ撮像する３つの撮像素子を備える３板式撮像装置であることを特徴とする請求項２に記載のデジタルカメラ。
【請求項４】
前記撮像素子はＣＣＤ素子であることを特徴とする請求項３に記載のデジタルカメラ。
【請求項５】
前記撮像装置は１つの受光セルが受光素子とスイッチング素子とで構成されるとともに、各受光セルに分光色が割り当てられ、各分光色の受光セルの電荷蓄積時間をそれぞれ独立して前記蓄積時間制御手段により制御可能であることを特徴とする請求項１に記載のデジタルカメラ。
【請求項６】
前記撮像装置はＭＯＳ型撮像装置であることを特徴とする請求項５に記載のデジタルカメラ。
【請求項７】
前記撮像装置は、各分光色に割り当てられた受光セルを各分光色ごとに選択して駆動する水平駆動手段と、各分光色ごとに撮像信号を取り出す水平駆動手段とを備えることを特徴とする請求項６に記載のデジタルカメラ。
【請求項８】
外光の色温度を測定するホワイトバランスセンサを備え、前記蓄積時間制御手段は、当該ホワイトバランスセンサで測定した色温度に基づいて各分光色の電荷蓄積時間を制御することを特徴とする請求項１ないし７のいずれかに記載のデジタルカメラ。
【請求項９】
前記蓄積時間制御手段は、異なる色温度の光源についてそれぞれ予め設定された電荷蓄積時間に各分光色の電荷蓄積時間を制御することを特徴とする請求項１ないし７のいずれかに記載のデジタルカメラ。
【請求項１０】
各分光色に対応する露出補正ボタンを備え、前記蓄積時間制御手段は、前記露出補正ボタンが操作された分光色の電荷蓄積時間を制御するように構成されていることを特徴とする請求項１ないし７のいずれかに記載のデジタルカメラ。
【請求項１１】
前記露出補正ボタンが操作されたときに、前記蓄積時間を設定するための設定ダイヤルを備えることを特徴とする請求項１０に記載のデジタルカメラ。
【発明の詳細な説明】
【技術分野】
【０００１】
本発明はカラー撮影が可能なデジタルカメラに関し、特に異なる色温度の光源に対するホワイトバランスを適正に調整可能にしたデジタルカメラに関するものである。
【背景技術】
【０００２】
カメラでは撮影時の光源の種類によって、被写体の色が実際と異なって見えることがある。例えば、白い色の被写体を太陽光で撮影した場合と蛍光灯光で撮影した場合には、後者は前者に比較して緑がかった色に撮影されてしまう。このような光源の種類の違いにかかわらず白い色の被写体を白色に撮影できるようにするために、デジタルカメラではホワイトバランスセンサを設けておき、このホワイトバランスセンサにより被写体色、すなわち被写体の色温度を測定し、得られた色温度に対応して撮像素子から得られるカラー信号のカラーバランスを調整する技術が提案されている。例えば、特許文献１ではデジタルカメラにホワイトバランスセンサを設けておき、このホワイトバランスセンサで被写体の色温度を測定し、その測定値に基づいてストロボの発光の有無に対応してホワイトバランスを調整し、適切な被写体色での撮影を実行するようにしている。
【特許文献１】特開２００４−１９３７１５号公報
【発明の開示】
【発明が解決しようとする課題】
【０００３】
このようなデジタルカメラにおいてホワイトバランス調整を実行するには、撮像素子のＲ（赤）、Ｇ（緑）、Ｂ（青）の各色のゲインを変更することで、ＲＧＢの各色の分光比を変化させる手法がとられているが、この手法では光源によってはＲＧＢのいずれかの色のゲインを大きくすることが必要になり、ゲインの増大に伴って当該色信号のノイズも多くなり、画像品質が劣化する原因になる。また、デジタルカメラにおいて撮影者が露出補正を任意に行うことは可能であるが、従来のデジタルカメラでは撮影者がＲＧＢの各色のゲインを任意に調整することはできないため、ホワイトバランス調整を任意に行うことができず、所望の色調の画像を得ることができない。所望のカラー画像を得るためには、撮影後の画像をパソコン等のフォトレタッチソフトで分光特性を変更して行わなければならず、面倒であった。
【０００４】
本発明の目的は、ホワイトバランスを適正に調整した画像品質の高い画像の撮像を可能にしたデジタルカメラを提供するものである。また、本発明は撮影者がホワイトバランスを任意に調整でき、所望の色調の画像を撮影することを可能にしたデジタルカメラを提供するものである。
【課題を解決するための手段】
【０００５】
本発明は、撮像する被写体像を複数の分光色についてそれぞれ電荷を蓄積して撮像信号を出力する撮像装置と、撮像信号から得られる画像のホワイトバランスを調整する手段とを備えるデジタルカメラにおいて、ホワイトバランス調整手段は撮像装置における各分光色の電荷蓄積時間をそれぞれ独立して制御する蓄積時間制御手段を備えることを特徴とする。ここで、撮像装置として、各分光色をそれぞれ受光する複数のＣＣＤ素子で構成され、各撮像素子の電荷蓄積時間をそれぞれ独立して蓄積時間制御手段により制御可能な構成とする。また、撮像装置として、１つの受光セルが受光素子とスイッチング素子とで構成して各受光セルに分光色が割り当てられたＭＯＳ型撮像素子を用いる場合には、各分光色の受光セルの電荷蓄積時間をそれぞれ独立して蓄積時間制御手段により制御可能な構成とする。
【０００６】
また、本発明のデジタルカメラでは、外光の色温度を測定するホワイトバランスセンサを備え、蓄積時間制御手段は、当該ホワイトバランスセンサで測定した色温度に基づいて各分光色の電荷蓄積時間を制御する。また、蓄積時間制御手段は、異なる色温度の光源についてそれぞれ予め設定された電荷蓄積時間に各分光色の電荷蓄積時間を制御する。さらに、各分光色に対応する露出補正ボタンを備え、蓄積時間制御手段は当該露出補正ボタンが操作された分光色の電荷蓄積時間を制御する。
【発明の効果】
【０００７】
本発明によれば、撮像装置で撮像する被写体の分光色の蓄積時間を独立してすることで、異なる色温度の光源に対しても各分光色のゲインを等しくしたままでホワイトバランスを調整することができ、低ノイズで高品質の適正な色調のカラー画像を撮影することが可能になる。また、各分光色の蓄積時間を独立してマニュアルで補正することで、パソコン等のフォトレタッチソフトを使用することなく任意のホワイトバランスの調整を容易に行うことが可能になる。
【実施例１】
【０００８】
次に、本発明の実施例を図面を参照して説明する。図１及び図２はレンズ交換式のデジタル一眼レフカメラに適用した実施例１の前面側から見た斜視図と背面側から見た斜視図である。図１においてカメラボディ１の前面には図には表れない撮像レンズを装着するためのレンズマウント２が配設されるとともに、外光を受光して色温度を測定するためのホワイトバランスセンサ３が配設されている。また、前記カメラボディ１の上面には回転レバー式のメインスイッチ４及び押下操作可能なレリーズボタン５と、各種撮影情報を表示するための撮影情報用ＬＣＤ（液晶表示装置）６と、各種撮影モードを設定するためのモード設定ダイヤル７が配設されている。前記レリーズボタン６は測光スイッチ及びレリーズスイッチとして機能するものであることは言うまでもなく、またこのレリーズボタン６の前側には露出補正を行うための前側ダイヤル８が配設され、レリーズボタン６の隣接位置にはＲＧＢの各露出補正ボタン９Ｒ，９Ｇ，９Ｂが配設されている。さらに、図２において前記カメラボディ１の背面にはモニタ用ＬＣＤ（液晶表示装置）１０が配設されるとともに、それぞれの機能の詳細については省略する複数個の各種モード設定ボタン１１と、露出を補正する際に押下する露出補正ボタン１２と、露出を固定する際に押圧するＡＥボタン１３と、後述するようにＲＧＢの各露出補正を行うための後側ダイヤル１４とが配設されている。符号１５はファインダ窓である。
【０００９】
図３は前記カメラのブロック構成図であり、レンズマウント２に装着した撮像レンズ１６で結像した被写体像を絞り１０１を透過させた後可動ハーフミラー１０２で反射し、焦点板１０３に結像する。焦点板１０３に結像した被写体像はペンタプリズム１０４で反射され、接眼レンズ１０５によって撮影者が視認することができる。また、可動ハーフミラー１０２を透過した被写体光の一部は第２ミラー１０６で反射され、測距装置１２１において測距が行われる。さらに、可動ハーフミラー１０２の上動と同期して開動作するシャッター１０７により、被写体像の光は撮像装置２０に入射され、後述するようにＲ，Ｇ，Ｂの各ＣＣＤ素子２６，２７，２８によって撮像される。
【００１０】
各ＣＣＤ素子で撮像された各色の撮像信号はそれぞれアンプ１１１において増幅された後、Ａ／Ｄ変換器１１２においてデジタルの画像信号に変換される。このデジタル画像信号は信号処理回路１１３においてカラープロセス処理やガンマ補正等の所定の信号処理が施され、圧縮回路１１４において圧縮され、あるいは圧縮されることなくＶＲＡＭ（画像メモリ）１１５に書き込まれる。ここで、詳細を後述するＲ，Ｇ，Ｂの各ＣＣＤ素子２６，２７，２８は、ＣＰＵ１００がクロックジェネレータ１１６を介してそれぞれ独立したＲ−ＣＣＤドライバ１１７、Ｇ−ＣＣＤドライバ１１８、Ｇ−ＣＣＤドライバ１１９を制御することによって、撮像時における各ＣＣＤ素子での蓄積時間を個別に設定することが可能にされている。
【００１１】
前記ＣＰＵ１００は電池１３１の出力をＤＣ／ＤＣ変換したＤＣ／ＤＣコンバータ１３２の出力を電源としており、前記したように被写体を撮像する際には、前記カメラボディ１内に設けられたＡＦ（自動焦点）駆動機構１２２、前記撮像レンズ１６内に設けられた絞り駆動機構１２３を制御する。また、カメラボディ１内のミラー駆動機構１２４を制御して前記可動ハーフミラー１０２を動作し、前記測距装置１２１での測距を行い、シャッタ駆動回路１２５を制御して前記シャッタ１０７を開閉制御する。さらに、前記ＣＰＵ１００は、撮影情報用ＬＣＤ６とモニタ用ＬＣＤ１０に所要のデータを表示するように動作する。また、カメラに付属され、あるいは外付されたストロボ１３３を発光させるストロボ制御部１３４を制御する。
【００１２】
さらに、本発明の特徴として、前記ＣＰＵ１００には、前記ホワイトバランスセンサ３で測定された色温度情報と、前記ファインダ１５の接眼レンズ１０５の近傍に設けられた測光素子１０８で測定された測光値に基づいて露出制御部１０９で演算される露出情報が入力される。また、ＣＰＵ１００には、前記レリーズボタン５の測光スイッチとレリーズスイッチのスイッチ情報と、前記モード設定ダイヤル７やモード設定ボタン１１等のモード設定部材で設定されるモード情報が入力される。さらに、前記露出補正ボタン１２が押圧された情報と、Ｒ，Ｇ，Ｂの各露出補正ボタン９Ｒ，９Ｇ，９Ｂが押圧された情報が入力されるとともに、前側ダイヤル８と後側ダイヤル１４が操作されたときの各ダイヤルの回転情報が入力される。
【００１３】
前記撮像装置２０は前記レンズマウント２に装着する撮像レンズ１６で結像した被写体像を撮像して電気信号に変換するものであり、実施例１では３板式撮像装置として構成されている。図４はこの３板式撮像装置２０の概念構成図であり、撮像レンズの光軸上に３つのプリズムで構成されるダイクロイックプリズムが配設されている。便宜的にここではＢ（青色）プリズム２１、Ｒ（赤色）プリズム２２、Ｇ（緑色）プリズム２３と称しており、いずれも無色透明な樹脂あるいはガラス材で形成されているが、Ｂプリズム２１は背面にＢ光を反射するＢ反射ダイクロイック膜２４がコーティングされ、Ｒプリズム２２は背面にＲ光を反射するＲ反射ダイクロイック膜２５がコーティングされている。また、前記Ｂプリズム２１の端面にはＣＣＤ素子からなるＢ撮像素子（以下、Ｂ−ＣＣＤ素子）２６が一体的に取着され、Ｒプリズム２２の端面にはＲ撮像素子（以下、Ｒ−ＣＣＤ素子）２７が一体的に取着され、Ｇプリズム２３の端面にはＧ撮像素子（以下、Ｇ−ＣＣＤ素子）２８が一体的に取着されている。
【００１４】
この３板式撮像装置２０では、同図に鎖線及び矢印で示すように撮像レンズにより結像された被写体像光のうち、Ｂ光はＢプリズム２１のＢ反射ダイクロイック膜２４によって反射され、Ｂ−ＣＣＤ素子２６によって撮像される。また、Ｒ光はＲプリズム２２のＲ反射ダイクロイック膜２５によって反射され、Ｒ−ＣＣＤ素子２７によって撮像される。Ｇ光はＧプリズム２３を透過し、Ｇ−ＣＣＤ素子２８によって撮像される。すなわち、被写体像はＢ，Ｇ，Ｒの３色に分解されてそれぞれＢ，Ｇ，Ｒの各ＣＣＤ素子２６，２７，２８によって撮像され、各色光に対応した電気信号が撮像信号として出力されることになる。
【００１５】
以上の構成のカメラにおける撮影動作のうち、露出補正及びホワイトバランス調整について説明する。露出補正についてはこれまでと同じであり、露出補正ボタン１２が押下されるとＣＰＵ１００は露出補正モードに入り、これに続いて前側ダイヤル８が回転操作されるとＣＰＵ１００は前側ダイヤル８の回転量に対応するだけ露出補正を行うべく絞り駆動機構１２３、シャッター駆動回路１２５等を制御して撮像装置２０に到達する被写体光を制御する。これにより、Ｒ，Ｇ，Ｂの各ＣＣＤ素子２６，２７，２８で蓄積する光量が制御され、撮像装置２０から出力されるＲ，Ｇ，Ｂの各撮像信号のレベルが補正される。
【００１６】
一方、ホワイトバランス調整は、撮影者がモード設定部材８，１１によって設定するホワイトバランスモードに基づいて行われる。ここではホワイトバランスモードとして、オートホワイトバランスモード、プリセットホワイトバランスモード、マニュアルホワイトバランスモードが設定可能である。オートホワイトバランスモードはカメラにおいて光源の色温度を測定し、測定した色温度に基づいて自動的にホワイトバランス調整を行うものであり、このときには、図５にフローチャートを示すように、ＣＰＵ１００は設定されたホワイトモードバランスがオートホワイトバランスモードであることを認識すると（Ｓ１０１）、ホワイトバランスセンサ３で測定した外光の色温度を認識し（Ｓ１０２）、この色温度に基づいてメモリ内に予め設定されているテーブルのデータを読み出す（Ｓ１０３）。このテーブルには、異なる色温度に対応してＲ，Ｇ，Ｂの各ＣＣＤ素子の蓄積時間の比率が記録されており、ＣＰＵ１００は読み出した蓄積時間に基づいて撮像装置２０を構成しているＲ−ＣＣＤ素子２６，、Ｇ−ＣＣＤ素子２７、Ｂ−ＣＣＤ素子２８の各蓄積時間をそれぞれ独立して制御する（Ｓ１０４）。そして、各ＣＣＤ素子２６，２７，２８から撮像信号を出力する（Ｓ１０５）。これにより、各ＣＣＤ素子２６，２７，２８で撮影された撮像信号を信号処理部１１３等で処理して得られるカラー画像は、当該色温度の光源に対して適正にホワイトバランス調整された画像となる。
【００１７】
また、プリセットホワイトバランスモードはカメラに設定されている複数の異なる色温度の光源、例えば白熱電球照明、蛍光灯照明、太陽光照明等を撮影者が設定することにより、カメラがこの設定に基づいてホワイトバランス調整を行うものであり、このときには、図６にフローチャートを示すように、ＣＰＵ１００はプリセットホワイトバランスモードであることを認識すると（Ｓ２０１）、撮影者によってモード設定部材８，１１を操作することにより設定された光源の色温度を認識し（Ｓ２０２）、メモリに予め記録されているテーブルから対応する色温度光源に対するＲ，Ｇ，Ｂの各ＣＣＤ素子の蓄積時間の値（比率）を読み出す（Ｓ２０３）。ＣＰＵ１００はこの読み出した値に基づいてオートホワイトバランスモードのときと同様にＲ−ＣＣＤ素子２６、Ｇ−ＣＣＤ素子２７、Ｂ−ＣＣＤ素子２８の各蓄積時間をそれぞれ独立して制御する（Ｓ２０４）。そして、各ＣＣＤ素子２６，２７，２８から撮像信号を出力する（Ｓ２０５）。これにより、プリセットされた色温度の光源に対して適正なホワイトバランスの調整が可能になる。
【００１８】
このように、オートホワイトバランスモード及びプリセットホワイトバランスモードでは、ＣＰＵ１００がホワイトバランスセンサ３で測定した外光の色温度に基づいて、あるいは予め設定された色光比率に基づいて、それぞれＲ，Ｇ，Ｂの各ＣＣＤ素子２６，２７，２８の蓄積時間を制御することで、これらＣＣＤ素子から出力されるＲ，Ｇ，Ｂの各色の撮像信号を混合して得られるカラーの撮像信号のホワイトバランスの調整が可能になる。
【００１９】
また、撮影者がマニュアルでホワイトバランスの調整を行うマニュアルホワイトバランスモードのときには、撮影者がモード設定部材８，１１によりマニュアルホワイトバランスモードに設定する。図７にフローチャートを示すように、ＣＰＵ１００はマニュアルホワイトバランスモードであることを認識すると（Ｓ３０１）、撮影者がＲ，Ｇ，Ｂのいずれかの露出補正ボタン９Ｒ，９Ｇ，９Ｂを押下したことを認識し（Ｓ３０２）、続いて後側ダイヤル１４が操作されたことを認識すると（Ｓ３０３）、ＣＰＵ１００は後側ダイヤル１４の回転量だけ押下されたボタンの色のＣＣＤ素子の蓄積時間を制御する（Ｓ３０４）。この蓄積時間の制御は押下されたＲ，Ｇ，Ｂの露出補正ボタンについてのみ実行する。すなわち、Ｒ，Ｇ，Ｂの各露出補正ボタン９Ｒ，９Ｇ，９Ｂのいずれかが押下され、続いて後側ダイヤル１４が操作されれば当該分光色について蓄積時間を制御し、続いて別の露出補正ボタンが押下されて後側ダイヤル１４が操作されればこの分光色について蓄積時間を制御するのであり、Ｒ，Ｇ，Ｂの全ての露出補正ボタンが押下されればＲ，Ｇ，Ｂの全てについて蓄積時間の制御を実行する。そして、各ＣＣＤ素子２６，２７，２８から撮像信号を出力する（Ｓ３０５）。これにより、撮影者は任意のホワイトバランスに調整することが可能になる。
【００２０】
なお、このマニュアルホワイトバランスの調整のときには、例えばモニタ用ＬＣＤ１０には、図８に示すように、撮像しようとする被写体像の一部にＲ，Ｇ，Ｂの各色のヒストグラムを表すヒストグラムウインド１０を表示するようにしておけば、撮影者は後側ダイヤル１４の回転量に対応するヒストグラムが確認でき、所望のホワイトバランスの調整が可能になる。このように、マニュアルでホワイトバランスの調整を行う場合でも、Ｒ，Ｇ，Ｂの各ＣＣＤ素子２６，２７，２８の蓄積時間を制御することで、従来のように特定の色についてゲインを大きくしたことによるノイズの増大が防止でき、高品質でかつ所望とする任意の色調のカラー画像の撮像が可能になる。
【実施例２】
【００２１】
図９は実施例２のブロック構成図であり、図３の実施例１の構成と同一部分には同一符号を付して説明は省略する。ここでは、撮像装置２０Ａを構成する撮像素子として単一のＭＯＳ（ＣＭＯＳ）型撮像素子を用いている。このＭＯＳ型撮像素子は、図１０に回路構成図を示すように１つのフォトダイオードＰＤと、このフォトダイオードにおいて蓄積した電荷を出力するためのスイッチング素子としての１つの垂直トランジスタ、すなわちＶ−ＭＯＳとで１つの受光セルＣＥＬＬを構成し、この受光セルＣＥＬＬを垂直方向及び水平方向に多数配列した構成である。また、各受光セルＣＥＬＬのフォトダイオードＰＤの受光路には図には示されないがＲ，Ｇ，Ｂのいずれかのカラーフィルタが配設されており、これにより各受光セルＣＥＬＬはＲ，Ｇ，Ｂのいずれかの色光を受光して撮像するように割り当てられている。ここでは、互いに隣接配置された４つの受光セルで１つのグループを構成し、１つのグループを２つのＲ色の受光セル（以下、Ｒ受光セル）と、各１つのＧ色の受光セル（以下、Ｇ受光セル）及びＢ色の受光セル（以下、Ｂ受光セル）を割り当てている。
【００２２】
その上で、Ｖ−ＭＯＳのゲートはＲ，Ｇ，Ｂの各垂直シフトレジスタ２０１，２０２，２０３に接続され、各シフトレジスタ２０１，２０２，２０３に供給されるＶスタートパルスＲ−ＶＳＰ，Ｇ−ＶＳＰ，Ｂ−ＶＳＰのタイミングでＶクロックＶ−ＣＬＫに同期して各分光色の受光セルを垂直方向に順次選択してオン動作を可能とする。したがって、各セルではＶ−ＭＯＳがオフされてから次にオンされるまでの間に受光により生成される電荷を蓄積することになる。また、各Ｖ−ＭＯＳのドレインは水平ＭＯＳトランジスタＨ−ＭＯＳを介してＲ，Ｇ，Ｂの各出力Ｒ−ＯＵＴ，Ｇ−ＯＵＴ，Ｂ−ＯＵＴに接続され、これらのＨ−ＭＯＳのゲートはＲ，Ｇ，Ｂの各水平シフトレジスタ２０４，２０５，２０６に接続され、各シフトレジスタ２０４，２０５，２０６に供給されるＨスタートパルスＨ−ＲＳＰ，Ｈ−ＧＳＰ，Ｈ−ＢＳＰのタイミングでＶクロックＨ−ＣＬＫに同期して水平方向に順次選択してオン動作を可能とし、オンされたときに蓄積した電荷をそれぞれ出力する。
【００２３】
そして、前記垂直及び水平のＲ，Ｇ，Ｂの各シフトレジスタ２０１〜２０６はそれぞれ図９のブロック図に示したＲ，Ｇ，Ｂの各ドライバ１１７Ａ，１１８Ａ，１１９Ａによって制御可能とされ、これらのドライバ１１７Ａ，１１８Ａ，１１９Ａは前記ＣＰＵ１００によって制御されるクロックジェネレータ１１６からのクロックによって制御されるようになっている。そして、ＣＰＵ１００は実施例１の場合と同様にモード設定部材８，１１で設定されるホワイトバランスモードに基づいて前記各ドライバ１１７Ａ，１１８Ａ，１１９Ａを制御することになる。
【００２４】
このＭＯＳ型撮像素子で構成される撮像装置２０Ａによれば、Ｒ，Ｇ，Ｂの各垂直シフトレジスタ２０１，２０２，２０３の制御によってＲ，Ｇ，Ｂの各セルのＶ−ＭＯＳをオンするタイミングを制御することで、前述のように各セルＣＥＬＬにおけるフォトダイオードＰＤでの電荷の蓄積時間を制御する。すなわち、Ｖ−ＭＯＳをオンするタイミングを遅らせることで蓄積時間を長くでき、逆にタイミングを早めることで蓄積時間を短くする。このタイミングの調整はＲ，Ｇ，Ｂの各シフトレジスタ２０１，２０２，２０３において独立して制御することが可能であるので、１つの色光に対する受光セルでの蓄積時間の制御が他の色光の受光セルでの蓄積時間に影響を与えることはない。このように、Ｒ，Ｇ，Ｂの各色のＶ−ＭＯＳの蓄積時間をそれぞれ制御することで、各Ｖ−ＭＯＳから出力される撮像信号のレベルをノイズレベルとは関係なく任意に制御することができる。
【００２５】
したがって、実施例２においても、オートホワイトバランスモード、プリセットホワイトバランスモード、及びマニュアルホワイトバランスモードにおけるホワイトバランスの調整を実施例１と同様に図５〜７のフローチャートに基づいて行うことができる。ただし、実施例２では、Ｒ，Ｇ，Ｂの各撮像信号の蓄積時間を制御する場合には、Ｒ，Ｇ，Ｂの各Ｖ−ＭＯＳの蓄積時間をそれぞれ独立して制御することになる。また、図５〜７において、ＣＣＤ素子はＭＯＳ撮像素子と読み替える。これにより、実施例１と同様に従来のように特定の色についてゲインを大きくしたことによるノイズの増大が防止でき、高品質でかつ適正にホワイトバランス調整されたカラー画像の撮像が可能になる。また、実施例２では、１つの撮像素子で撮像装置が構成できるので、デジタルカメラの小形化、軽量化、低コスト化を図る上で有利である。
【００２６】
ここで、前記実施例ではマニュアルホワイトバランスモードでの調整時には、Ｒ，Ｇ，Ｂの各露出補正ボタン９Ｒ，９Ｇ，９Ｂをそれぞれ押下しながら後側ダイヤル１４を操作して調整を行う構成とされているが、ＣＰＵ１００に対してＲ，Ｇ，Ｂのいずれについて、かつどの程度露出補正を行うのかを認識させればよいので、各露出補正ボタンの代わりに１つの露出補正ボタンを順序的に押下してＲ，Ｇ，Ｂを切り換えるように構成してよく、実施例１のような３つの露出補正ボタン９Ｒ，９Ｇ，９Ｂは不要になり、操作ボタン数を低減することが可能になる。もちろん、１つのダイヤルで切り替え、あるいはＬＣＤでの表示に基づいて切り替えるようにしてもよい。
【図面の簡単な説明】
【００２７】
【図１】本発明の実施例１のカメラの前面方向から見た斜視図である。
【図２】図１のカメラを後面方向から見た斜視図である。
【図３】カメラの構成を示すブロック構成図である。
【図４】実施例１の撮像装置の概略構成図である。
【図５】オートホワイトバランス調整のフローチャートである。
【図６】プリセットホワイトバランス調整のフローチャートである。
【図７】マニュアルホワイトバランス調整のフローチャートである。
【図８】モニタ用ＬＣＤにヒストグラムを表示する状態を示す図である。
【図９】実施例２のブロック構成図である。
【図１０】実施例２の撮像装置の回路構成図である。
【符号の説明】
【００２８】
１  カメラボディ
２  レンズマウント
５  レリーズボタン
６  撮影情報用ＬＣＤ
８  前側ダイヤル
９Ｒ，９Ｇ，９Ｂ  露出補正ボタン
１０  モニタ用ＬＣＤ
１１  モード設定ボタン
１４  後側ダイヤル
１６  撮像レンズ
２０  撮像装置（３板式撮像装置）
２０Ａ  撮像装置（ＭＯＳ型撮像素子）
１００  ＣＰＵ
１１６  クロックジェネレータ
１１７〜１１９  ＣＣＤドライバ
１１７Ａ〜１１９Ａ  Ｒ，Ｇ，Ｂドライバ
【図１】
2006135708.tif 000003
【図２】
2006135708.tif 000004
【図３】
2006135708.tif 000005
【図４】
2006135708.tif 000006
【図５】
2006135708.tif 000007
【図６】
2006135708.tif 000008
【図７】
2006135708.tif 000009
【図８】
2006135708.tif 000010
【図９】
2006135708.tif 000011
【図１０】
2006135708.tif 000012